(57)【特許請求の範囲】
【請求項１】
電力ケーブルコアの周りに光ファイバを内蔵し、さらにその上に防食層が被覆された光ファイバ複合電力ケーブルにおいて、上記電力ケーブルコアと上記防食層の間に、上記光ファイバを収納した光ファイバ入り樹脂管と、溝内に該光ファイバ入り樹脂管を収納する凹字断面形状のユニット本体とからなる光ファイバユニットを内蔵し、上記ユニット本体の溝が光ファイバ入り樹脂管の外径よりも大きな幅と外径以上の高さに形成され、かつ該溝の凹字断面形状が防食層向きに開いて配置されていることを特徴とする光ファイバ複合電力ケーブル。
【請求項２】
上記ユニット本体には、光ファイバ入り樹脂管の両側に平行に補強用の金属線が内蔵されている請求項１に記載の光ファイバ複合電力ケーブル。
【請求項３】
上記樹脂管は、電力ケーブルの布設作業中や熱機械的に受ける側圧に対して十分に耐える強度を有する硬質プラスチックからなる請求項１または２に記載の光ファイバ複合電力ケーブル。
【発明の詳細な説明】
【０００１】
【発明の属する技術分野】
本発明は、電力ケーブルに光ファイバを内蔵した光ファイバ複合電力ケーブルに係り、特に光ファイバを内蔵するための光ファイバユニットを備えた光ファイバ複合電力ケーブルに関するものである。
【０００２】
【従来の技術】
一般に、電力ケーブルに光ケーブルを内蔵した光ファイバ複合電力ケーブルが知られている。
【０００３】
この光ファイバ複合電力ケーブルを図６に示す。
【０００４】
図６に示すように、光ファイバ複合電力ケーブルは、電力ケーブルコア３の周りに、半導電性クッション層４を挟んで光ファイバユニットが螺旋巻きされていると共に押えテープ５で固定されており、さらに金属被６、防食層７で被覆されている。
【０００５】
図５に示すように、光ファイバユニットとしては、電力ケーブルコア上に設けられた半導電性クッション層４の上に、光ファイバ１０が収納された光ファイバ入り金属管１を設け、その光ファイバ入り金属管１の両側に、外圧から光ファイバユニットを防護するための金属線２を縦添えする構造が開発されている（小沢保夫、森義和、川神裕志、佐藤光広：平成４年電気学会全国大会論文集Ｎｏ．１４４２「温度監視用光ファイバ入り２７５ｋＶ  ＣＶケーブルの開発（その２）」）。
【０００６】
このように、従来、電力ケーブルに光ケーブルを内蔵する技術としては、光ファイバを収納するための金属管を備えた光ファイバユニットを用い、光ファイバ入り金属管の両側に、外圧から光ファイバ入り金属管を防護するための金属線を縦添えしたものが一般的である。
【０００７】
【発明が解決しようとする課題】
しかしながら、従来の光ファイバ複合電力ケーブルの光ファイバ１０は、上述したように金属管１や金属線２によって外部からの熱や側圧から防護されているが、光ファイバ１０を収納するための金属管１は、スペースの関係から小径であることが好ましく、さらに電力ケーブルコア３の周りに螺旋巻きすることから可撓性を必要とするため、加工が困難であった。これにより、光ファイバユニットが高価になり、光ファイバ複合電力ケーブルの価格が上昇してしまうという問題があった。
【０００８】
そこで、本発明の目的は、従来技術の問題点を解決し、光ファイバへの外圧を防護する構造を具備しつつ安価な光ファイバ複合電力ケーブルを提供することにある。
【０００９】
【課題を解決するための手段】
上記課題を解決するために請求項１の発明は、電力ケーブルコアの周りに光ファイバを内蔵し、さらにその上に防食層が被覆された光ファイバ複合電力ケーブルにおいて、上記電力ケーブルコアと上記防食層の間に、上記光ファイバを収納した光ファイバ入り樹脂管と、溝内に該光ファイバ入り樹脂管を収納する凹字断面形状のユニット本体とからなる光ファイバユニットを内蔵し、上記ユニット本体の溝が光ファイバ入り樹脂管の外径よりも大きな幅と外径以上の高さに形成され、かつ該溝の凹字断面形状が防食層向きに開いて配置されている光ファイバ複合電力ケーブルである。
【００１０】
請求項２の発明は、上記ユニット本体には、光ファイバ入り樹脂管の両側に平行に補強用の金属線が内蔵されている請求項１に記載の光ファイバ複合電力ケーブルである。
【００１３】
請求項３の発明は、上記樹脂管は、電力ケーブルの布設作業中や熱機械的に受ける側圧に対して十分に耐える強度を有する硬質プラスチックからなる請求項１または２に記載の光ファイバ複合電力ケーブルである。
【００１５】
上記構成によれば、光ファイバを収納する樹脂管は押出し成形などにより容易に小径に成形され、また、ユニット本体も同様に、金属線を内蔵するように成形される。さらに管が樹脂で形成されているため、適度な可撓性を有している。このように、樹脂管が安価であり、加工性に優れると共に施工が容易なので、光ファイバユニットを安価に製造でき、光ファイバ複合電力ケーブルの低価格化を実現できる。
【００１６】
【発明の実施の形態】
次に、本発明の好適一実施の形態を添付図面に基づいて詳述する。
【００１７】
図２に本発明にかかる光ファイバ複合電力ケーブルの概略図を示す。
【００１８】
図２に示すように、光ファイバ複合電力ケーブルは、電力ケーブルコア３の周りに、半導電性クッション層４を挟んで光ファイバユニット２０が螺旋巻きされていると共に押えテープ５で固定されており、さらにその上に金属被６と防食層７とが順次被覆されている。
【００１９】
図１に光ファイバユニット２０の断面図を示す。
【００２０】
図１に示すように、光ファイバユニット２０は、光ファイバ１０を収納した光ファイバ入り樹脂管１１と、光ファイバ入り樹脂管１１を収納するためのほぼ断面正方形状の溝１３が形成された凹字断面形状のユニット本体１５とから構成されている。
【００２１】
この光ファイバ入り樹脂管１１は、光ファイバ複合電力ケーブルの布設作業中や熱機械的に受ける側圧に対して防護できるように、その側圧に十分に耐える強度を有する硬質プラスチックからなる。
【００２２】
さらに、光ファイバ入り樹脂管１１の内径は、内部に収納される光ファイバ１０の径と数に応じて形成され、本実施の形態にあっては４本の光ファイバ１０が緩やかに収納できる大きさに形成されている。
【００２３】
また、ユニット本体１５は、溝１３内に収納された光ファイバ入り樹脂管１１の両側に、その光ファイバ入り樹脂管１１を補強するための補強線１２がそれに平行して内蔵されている。この補強線１２は、金属線又は金属と同等以上の硬さを有する線材からなる。
【００２４】
さらにユニット本体１５に形成された溝１３は、光ファイバユニット２０を電力ケーブルコアに螺旋巻きする時の曲げによる側圧が加わらないように、光ファイバ入り樹脂管１１の外径よりも若干大きな幅に形成されていると共に、光ファイバユニット２０の上に押えテープを巻き付けた時の圧力が加わらないように、光ファイバ入り樹脂管１１の外径以上の高さに形成されている。さらに、図１の溝１３の凹字断面形状は、図２のように防食層７向きに開いて配置されている。
【００２５】
次に、作用を説明する。
【００２６】
本発明を製造するに際しては、光ファイバ１０を収納するための管は、硬質プラスチックで形成されているので、押出し成形などにより容易に所望の径に成形できる。さらに、ユニット本体１５も同様に、補強線１２を内蔵するように成形される。これにより、従来の金属管と比較して管の材料費及び加工費を大幅に削減できるので、本発明は光ファイバ複合電力ケーブルを低コスト化できる。
【００２７】
また、半導電性クッション層４が形成された電力ケーブルコア３の周りに光ファイバユニット２０を設ける際には、本発明の光ファイバ入り樹脂管１１が適度な可撓性を有し、巻付け性が優れていることから、本発明は、施工費を低コスト化できる。
【００２８】
また、本発明を布設した際には、光ファイバ入り樹脂管１１が硬質プラスチックで形成されているので、従来と同様、電力ケーブルの布設作業中や熱機械的に受ける側圧に対して十分に防護できる。
【００２９】
次に、本発明の参考形態を説明する。
【００３０】
図３に、本発明の参考形態を示す光ファイバ複合電力ケーブルの断面図を示す。
【００３１】
図３に示すように、この光ファイバ複合電力ケーブルは、本実施の形態で説明したユニット本体を備えておらず、電力ケーブルコア上に形成された半導電性クッション層４上に設けられ、光ファイバ１０を収納した光ファイバ入り樹脂管２１と、光ファイバ入り樹脂管２１の両側に配置された補強線２２とから構成されている。
【００３２】
このように構成することにより、管の材料費及び加工費を低コスト化できる。
【００３３】
さらに、図４に、本発明の他の参考形態を示す光ファイバ複合電力ケーブルの断面図を示す。
【００３４】
図４に示すように、この光ファイバ複合電力ケーブルは、ユニット本体３５が矩形断面形状の樹脂で形成されており、光ファイバ入り樹脂管３１とその両側に平行に配置される補強線３２とを一体化した光ファイバユニット４０から構成されている。ユニット本体３５は、光ファイバユニット４０の上に押えテープを巻き付けた時の圧力が加わらないように、光ファイバ入り樹脂管３１の外形以上の高さに形成されている。
【００３５】
このように構成することにより、ユニット本体３５に光ファイバ入り樹脂管３１を収納するための溝を形成する工程とその溝に光ファイバ入り樹脂管３１を収納する工程を省略することができるので、光ファイバユニット４０の価格を低下できる。
【００３６】
【発明の効果】
以上要するに本発明によれば、高価な金属管入り光ファイバを使用せずに、側圧に対して優れた防護性を有する安価な光ファイバ複合電力ケーブルを提供できる。
【図面の簡単な説明】
【図１】  本発明の一実施の形態を示す光ファイバ複合電力ケーブルの光ファイバユニットの断面図である。
【図２】  図１の光ファイバユニットが収納された光ファイバ複合電力ケーブルの内部を示す詳細図である。
【図３】  本発明の参考形態を示す光ファイバ複合電力ケーブルの光ファイバユニットの断面図である。
【図４】  本発明の他の参考形態を示す光ファイバ複合電力ケーブルの光ファイバユニットの断面図である。
【図５】  従来の光ファイバ複合電力ケーブルの光ファイバユニットの断面図である。
【図６】  図５の光ファイバユニットが収納された光ファイバ複合電力ケーブルの内部を示す詳細図である。
【符号の説明】
３  電力ケーブルコア
１０  光ファイバ
１１  樹脂管入り光ファイバ
１３  溝
１５  ユニット本体
２０  光ファイバユニット
【図１】
0004003354.tif 000002
【図２】
0004003354.tif 000003
【図３】
0004003354.tif 000004
【図４】
0004003354.tif 000005
【図５】
0004003354.tif 000006
【図６】
0004003354.tif 000007